(57)【特許請求の範囲】
【請求項１】
外部から送信される映像データ、ユーザの入力操作により指定される、チャンネル選局情報及び時刻表示有無指定情報、並びに、本装置に設けられた内部時計から供給される時刻情報に基づいて、時刻表示有と指定された場合に、前記映像データにより生成される映像の映像フレーム中に含まれる時刻表示位置を読み取ることにより時刻表示位置を指定し、該指定した時刻表示位置の領域の映像（画像）を黒画像に置き換えて該黒画像上に前記時刻情報を上書きしてそのまま表示するように、前記映像データを加工するデータ処理手段を備えたことを特徴とするデジタル放送受信装置。
【請求項２】
前記映像データ、前記チャンネル選局情報、前記時刻表示有無指定情報、及び、前記時刻情報とを入力する入力手段と、
前記データ処理手段によりデータ処理された前記時刻情報が表示された映像データを出力する出力手段と、を備えたことを特徴とする請求項１に記載のデジタル放送受信装置。
【請求項３】
前記内部時計は電波時計であることを特徴とする請求項１または２に記載のデジタル放送受信装置。
【請求項４】
外部から送信される映像データ、ユーザの入力操作により指定される、チャンネル選局情報及び時刻表示有無指定情報、並びに、本装置に設けられた内部時計から供給される時刻情報に基づいて、時刻表示有と指定された場合に、データ処理手段が、前記映像データにより生成される映像の映像フレーム中に含まれる時刻表示位置を読み取ることにより時刻表示位置を指定し、該指定した時刻表示位置の領域の映像（画像）を黒画像に置き換えて該黒画像上に前記時刻情報を上書きしてそのまま表示するように、前記映像データを加工するデータ処理工程を有することを特徴とするデジタル放送受信装置の時刻表示方法。
【請求項５】
前記映像データ、前記チャンネル選局情報、前記時刻表示有無指定情報、及び、前記時刻情報とを、入力手段が入力する入力工程と、
前記データ処理手段によりデータ処理された前記時刻情報が表示された映像データを、
出力手段が出力する出力工程と、
を有することを特徴とする請求項４に記載のデジタル放送受信装置の時刻表示方法。
【請求項６】
前記内部時計は電波時計であることを特徴とする請求項４または５に記載のデジタル放送受信装置の時刻表示方法。
【発明の詳細な説明】
【技術分野】
【０００１】
本発明は、時刻表示機能を有するデジタル放送受信装置とその時刻表示方法に関する。
【背景技術】
【０００２】
デジタル放送はアナログ放送と異なり符号化や映像伝送によって遅延が発生するため，時計スーパーや時報などのように受信機出力で映像の一部として表示されている時刻情報が不正確である場合がある。また、放送チャンネルごとに時刻情報のタイミングが異なる場合がある。
【０００３】
例えば、特許文献１では、受信したデジタル放送のうちの時刻情報を、バッファに入力する前に、時刻情報複合器１６にて時刻情報だけを先に複合化し、後で混合器１４にて合成してから表示する構成として、映像、音声信号の処理より早く時刻情報の処理をして、処理時間を最小限に抑えて、その処理に要する遅延時間を最小限に抑えることにより、より正確な時刻情報の表示をする技術が開示されている。
【特許文献１】特開２００１−１３６０８８号公報
【発明の開示】
【発明が解決しようとする課題】
【０００４】
しかし、上述したような、特許文献１に開示されるような技術においても限界があり、正確な時刻情報の表示をすることが困難であるという問題があった。
【０００５】
本発明は、上記のような問題点に鑑み、受信する映像情報に含まれる時刻情報ではなく、デジタル放送受信装置に設けた、電波時計等の内部時計の時刻情報を映像に反映することで、符号化や映像伝送による遅延及び選局チャンネルに依存しない正確な時刻情報を表示することを可能とした、時刻表示機能を有するデジタル放送受信装置とその時刻表示方法を提供することを目的とする。
【課題を解決するための手段】
【０００９】
請求項１に記載の発明は、外部から送信される映像データ、ユーザの入力操作により指定される、チャンネル選局情報及び時刻表示有無指定情報、並びに、本装置に設けられた内部時計から供給される時刻情報に基づいて、時刻表示有と指定された場合に、前記映像データにより生成される映像の映像フレーム中に含まれる時刻表示位置を読み取ることにより時刻表示位置を指定し、該指定した時刻表示位置の領域の映像（画像）を黒画像に置き換えて該黒画像上に前記時刻情報を上書きしてそのまま表示するように、前記映像データを加工するデータ処理手段を備えたデジタル放送受信装置としたことを特徴とする。
【００１０】
請求項２に記載の発明は、前記映像データ、前記チャンネル選局情報、前記時刻表示有無指定情報、及び、前記時刻情報とを入力する入力手段と、前記データ処理手段によりデータ処理された前記時刻情報が表示された映像データを出力する出力手段と、を備えた請求項１に記載のデジタル放送受信装置としたことを特徴とする。
【００１２】
請求項３に記載の発明は、前記内部時計は電波時計である請求項１または２に記載のデジタル放送受信装置としたことを特徴とする。
【００１６】
請求項４に記載の発明は、外部から送信される映像データ、ユーザの入力操作により指定される、チャンネル選局情報及び時刻表示有無指定情報、並びに、本装置に設けられた内部時計から供給される時刻情報に基づいて、時刻表示有と指定された場合に、データ処理手段が、前記映像データにより生成される映像の映像フレーム中に含まれる時刻表示位置を読み取ることにより時刻表示位置を指定し、該指定した時刻表示位置の領域の映像（画像）を黒画像に置き換えて該黒画像上に前記時刻情報を上書きしてそのまま表示するように、前記映像データを加工するデータ処理工程を有するデジタル放送受信装置の時刻表示方法としたことを特徴とする。
【００１７】
請求項５に記載の発明は、前記映像データ、前記チャンネル選局情報、前記時刻表示有無指定情報、及び、前記時刻情報とを、入力手段が入力する入力工程と、前記データ処理手段によりデータ処理された前記時刻情報が表示された映像データを、出力手段が出力する出力工程と、を有する請求項４に記載のデジタル放送受信装置の時刻表示方法としたことを特徴とする。
【００１９】
請求項６に記載の発明は、前記内部時計は電波時計である請求項４または５に記載のデジタル放送受信装置の時刻表示方法としたことを特徴とする。
【発明の効果】
【００２０】
本発明によれば、受信する映像情報に含まれる時刻情報ではなく、デジタル放送受信装置に設けた、電波時計等の内部時計の時刻情報を映像に反映することで、符号化や映像伝送による遅延及び選局チャンネルに依存しない正確な時刻情報を表示することを可能とした、時刻表示機能を有するデジタル放送受信装置とその時刻表示方法を実現することができる。
【発明を実施するための最良の形態】
【００２１】
本発明を実施するための最良の形態は、デジタル放送受信装置に、外部から送信される映像データ、ユーザの入力操作により指定される、チャンネル選局情報、該チャンネル選局情報に対応する時刻表示位置指定情報、及び時刻表示有無指定情報、並びに、本装置に設けられた内部時計から供給される時刻情報に基づいて、時刻表示有と指定された場合に、上記映像データにより生成される映像の映像フレーム中に時刻表示位置を指定し、該指定した時刻表示位置の領域の映像（画像）を黒画像に置き換えて該黒画像上に上記時刻情報を表示するように、上記映像データを加工するデータ処理手段を設ける。
【００２２】
以下に、本発明の好適な実施形態を添付図面に基づいて詳細に説明する。尚、以下に述べる実施形態は本発明の好適な具体例であるから、技術的に好ましい種々の限定が付されているが、本発明の範囲は、以下の説明において特に本発明を限定する旨の記載がない限り、これらの実施形態に限られるものではない。
【００２３】
（実施形態１）
本実施形態の時刻表示機能を有するデジタル放送受信装置は、該装置に設けた、電波時計等の内部時計が正確であることを前提として、選局チャンネル毎の時刻表示位置の映像を黒映像に変更し、映像に組み込まれている時刻情報を無効化し、時刻情報受信部より取り込んだ上記内部時計の時刻情報を、映像内部に（黒映像の上に）取り込むことにより、符号化や映像伝送による遅延及び選局チャンネルに依存しない正確な時刻情報を表示することを特徴とする。
【００２４】
本実施形態の時刻表示機能を有するデジタル放送受信装置について、図１を用いて以下に説明する。図１は、本実施形態におけるデジタル放送受信装置の時刻表示システムの構成図である。本実施形態の時刻表示システムは、復号化部６を有する映像受信部５、手動入力部７、時刻情報受信部８を有する入力装置１、時刻表示位置保存部１０、映像加工部９を有するデータ処理装置２、時刻表示位置記憶部１１を有する記憶装置３、及び、出力部１２を有する出力装置４を備えている。
【００２５】
図１に示すように、映像受信部５は、手動入力部７から受信したチャンネル選局情報を基に、選局されたチャンネルに対応する符号化された映像データを外部から受信し、該受信した映像データを復号化部６で復号化処理を行った後に、データ処理装置１２へ、処理後の映像データを送信する。時刻情報受信部８は、（図示しない）デジタル放送受信装置に設けられた、電波時計等の内部時計の時刻情報を受信し、データ処理装置１２に送信するための、本システムと内部時計との時刻情報用インターフェースである。
【００２６】
手動入力部７には、ユーザ入力操作により、チャンネル選局情報、選局されたチャンネルの時刻表示位置指定情報、及び、時刻表示有無指定情報の３種類の設定情報が入力される。この手動入力部７は、ユーザのチャンネル選局時に、映像受信部５及び映像加工部９に対して、チャンネル選局情報を送信し、映像受信部５が受信するチャンネル映像をコントロールすると共に、映像加工部９に対してチャンネル選局状況を了知させる機能を有する。
【００２７】
また、手動入力部７は、チャンネルの時刻表示位置指定時には、時刻表示位置保存部１０に対して、チャンネル選局情報及び選局されたチャンネルの時刻表示位置指定情報を送信する。これらの情報を受信した時刻表示位置保存部１０は、時刻表示位置記憶部１１に対して、選局されたチャンネルの、チャンネル選局情報及び時刻表示位置指定情報を送信し記憶させる。また、手動入力部７は、時刻表示有無指定時には、出力装置４に時刻情報を表示させるかどうかの時刻表示有無指定情報を、映像加工部９に送信する。映像加工部９は、受信した時刻表示有無指定情報を受けてその後の処理を行う。
【００２８】
時刻表示位置記憶部１１では、時刻表示位置保存部１０から受信した時刻表示位置指定情報はチャンネル毎に記憶される。記憶されたチャンネル毎の時刻表示位置指定情報は、映像加工部９からチャンネル指定を受けた時にストアされる。
【００２９】
映像加工部９は、映像受信部５から受信した復号化された映像データ、手動入力部７から受信した、チャンネル選局情報及び時刻表示有無指定情報、時刻情報受信部８から受信した時刻情報、及び、時刻表示位置記憶部１１から取得した、選局チャンネルに対応する時刻表示位置指定情報の、５種類のデータを処理し、出力装置４の出力部１２に対して、符号化や映像伝送による遅延及び選局チャンネルに依存しない正確な時刻情報を伴った映像データを送信する。
【００３０】
映像加工部９は、まず、受信した時刻表示有無指定情報を基づいて、映像データの加工を行うかどうかの選択をする。時刻情報表示を行う場合には、映像加工部９は、受信したチャンネル選局情報を時刻表示位置記憶部１１へ送信し、時刻表示位置記憶部１１から、選局されたチャンネルに対応する時刻表示位置指定情報を取得する。
【００３１】
続いて、映像加工部９は、映像受信部５から受信した復号化された映像データの、全ての映像フレーム（画像フレーム）に対して、上記時刻表示位置指定情報に基づいて指定された時刻表示位置の映像を、黒画像に置き換えるようにデータ加工を行う。その後、映像加工部９は、時刻情報受信部８より受信した時刻情報を、サイズ調整して上記黒画像上に上書きする。
【００３２】
上述したように、本実施形態の時刻表示システムは、デジタル放送受信装置が受信する映像データに含まれる時刻情報ではなく、デジタル放送受信装置に設けた、電波時計等の内部時計の時刻情報を映像に反映しているので、内部時計が正確であれば常に正確な時間を表示することが可能となる。
【００３３】
次に、本実施形態におけるデジタル放送受信装置の時刻表示システムについて、より具体的に、添付図面を用いて以下に説明する。図２は、本実施形態における、時刻情報表示システムのユーザ設定時の動作について説明するためのフローチャートである。
【００３４】
本実施形態におけるデジタル放送受信装置を使用するに際し、ユーザは、時刻情報を表示させる画面上の位置を、利用する全チャンネルに対して指定する事前設定を行う必要がある。図２に示すように、まず、ユーザの手動入力部７（図１参照。）への入力操作により、ユーザが利用するチャンネルのうちで、時刻表示位置記憶部１１に記憶されていないチャンネルの選択がされると、この選択されたチャンネルは、手動入力部７にチャンネル選局情報として入力される（ステップ１０１）。
【００３５】
続いて、ユーザの手動入力部７への入力操作により、上記選択されたチャンネルの時刻表示位置が選択されると、この選択された時刻表示位置は、手動入力部７に時刻表示位置指定情報として入力される。次に、手動入力部７は、入力されたチャンネル選局情報及び時刻表示位置指定情報を、時刻表示位置保存部１０に対して送信する。
【００３６】
続いて、時刻表示位置保存部１０が、チャンネル選局情報及び時刻表示位置指定情報を、時刻表示位置記憶部１１へ送信し、時刻表示位置記憶部１１では、該チャンネル選局情報及び時刻表示位置指定情報が記憶される(ステップ１０２)。このとき。時刻表示位置記憶部１１が有する時刻表示位置指定用メモリには、上記チャンネル選局情報及び時刻表示位置指定情報が対になって保存される(ステップ１０１〜１０２)。
【００３７】
上記チャンネル選局情報及び時刻表示位置指定情報の、時刻表示位置記憶部１１への保存処理（時刻表示位置保存処理）が完了した後、ユーザが利用する全チャンネルに対する時刻表示位置指定情報が時刻表示位置記憶部１１に記憶されていない場合であって、更なる選局が必要な場合には、続けて実行されるユーザの入力操作を契機として、上述したような、チャンネル選局から時刻表示位置指定までの動作が繰り返えされる(図２：ステップ１０１〜１０３Ｎｏ)。そして、ユーザが利用する全チャンネルに対する時刻表示位置指定情報（及び対応するチャンネル選局情報）が時刻表示位置記憶部１１に保存された状態をもってユーザの事前設定が完了する(ステップ１０３Ｙｅｓ)。
【００３８】
なお、上述した手動入力部７への入力操作によるユーザの事前設定の際に、ユーザは、出力装置４に、デジタル放送受信装置に設けられた、電波時計等の内部時計の有する時刻情報を表示させるかどうかについて、チャンネル毎に指定する（時刻表示有無指定情報の設定）。次に、本実施形態のデジタル放送受信装置の時刻表示システムの動作について説明する。図３は、本実施形態におけるデジタル放送受信装置の時刻表示システムの動作について説明するためのフローチャートである。
【００３９】
まず、既に説明したように、ユーザの入力操作による事前設定により、出力装置４に時刻情報を表示させるかどうか（時刻表示有無指定情報の設定）が指定されている。この時刻表示指定の有無により、以下に説明する本実施形態のデジタル放送受信装置の時刻表示システムの動作が異なる。図３に示すように、時刻情報を表示させない設定の場合はそのまま作業完了とし、図１に示す映像受信部５から映像加工部９に出力された映像データは、映像加工部９において加工されずに、そのまま出力部１２に送信され、出力装置４では、受信した映像データを用いて映像が表示される（ステップ２０１：Ｎｏ）。
【００４０】
また、図３に示すように、時刻情報を表示させる設定の場合には（ステップ２０１：Ｙｅｓ）、図１に示す映像加工部９は、時刻表示位置記憶部１１に、ユーザの入力操作により入力され選局されたチャンネル選局情報を送信し、該当するチャンネルの時刻表示位置指定情報をストアする（ステップ２０２）。映像加工部９は、加工対象の映像データの映像フレーム（画像フレーム）中の時刻表示位置を、ストアした選局チャンネルの時刻表示位置指定情報から抽出し、該領域の映像（画像）を黒画像に入れ替えて表示するよう映像データを加工する（ステップ２０３）。
【００４１】
続いて、映像加工部９は、上記黒画像が表示される時刻表示位置に、デジタル放送受信装置に設けた、電波時計等の内部時計の時刻情報を上書きするように映像データを加工する（ステップ２０４）。そして、映像加工部９は、ステップ２０４において映像加工部９が加工した映像データをそのまま出力部１２に送信する。出力装置４では受信した映像データを用いて、映像表示及び時刻情報の表示がなされる（ステップ２０４→エンド）。
【００４２】
なお、ステップ２０４における黒画像上への時刻情報の上書きのための映像データの加工処理においては、映像加工部９は、黒画像の表示サイズを考慮して、時刻情報の表示サイズを調整する。また、チャンネル選局の変更を行う場合には、ユーザにより、手動入力部７へのチャンネル選局情報等の再設定が行われるが、図３を用いて既に説明したのと同様の処理フローが実行される。
【００４３】
以上説明したように、本実施形態によれば、デジタル放送受信装置に設けた、電波時計等の内部時計の時刻情報を用いてデジタル放送における時刻表示を行うことにより、デジタル放送の符号化や伝送方式の違いに伴う時刻情報の遅延及び選局チャンネル毎の時刻情報の差異に依存しない一元管理された時刻情報を提供し、デジタル放送の時刻表示をより正確に行うことが可能となる。
【００４４】
（実施形態２）
本実施形態は実施形態１の変形例である。従って、実施形態１と共通する部分は説明を省略し、本実施形態の特徴部分のみ、図４を用いて以下に説明する。本実施形態のデジタル放送受信装置の時刻表示システムは、図１に示す実施形態１の時刻表示位置保存部１０の代わりに、図４に示す時刻表示位置抽出部１３を設けた構成としたことを特徴とする。
【００４５】
図１に示した実施形態１の時刻表示システムでは、時刻表示位置保存部１０は、手動入力部７から、チャンネル選局情報及び選局されたチャンネルに対応する時刻表示位置指定情報を受信し、これらの情報を時刻表示位置記憶部１１に送信し記憶させる機能（時刻表示位置保存処理）を有する。
【００４６】
しかしながら、本実施形態の時刻表示システムでは、図４に示す時刻表示位置抽出部１３が、映像受信部５から受信した復号化された映像データに基づき、映像を構成する各映像フレーム（画像フレーム）中に含まれる時刻情報の時刻表示位置を自動的に読み取る機能を有することにより、実施形態１で説明したようなユーザによる手動入力操作による時刻表示位置の設定を不要としたことを特徴とする。
【００４７】
図４に示すように、時刻表示位置抽出部１３は、映像受信部５から送信された復号化された映像データを受信し、映像を構成する各映像フレーム（画像フレーム）中の時刻表示位置を自動的に認識、抽出し、時刻表示位置指定情報として、対応するチャンネル選局情報と共に、時刻表示位置記憶部１１に記憶させる。本実施形態によれば、ユーザが入力操作により時刻表示位置の設定をする必要がなくなるため、デジタル放送受信装置の利便性を向上させることができる。
【図面の簡単な説明】
【００４８】
【図１】第１の実施形態におけるデジタル放送受信装置の時刻情報表示システムの構成図である。
【図２】第１の実施形態における時刻情報表示システムのユーザ設定時の動作について説明するためのフローチャートである。
【図３】第１の実施形態における時刻情報表示システムの動作について説明するためのフローチャートである。
【図４】第２の実施形態におけるデジタル放送受信装置の時刻情報表示システムの構成図である。
【符号の説明】
【００４９】
１    入力装置
２    データ処理装置
３    記憶装置
４    出力装置
５    映像受信部
６    復号化部
７    手動入力部
８    時刻情報受信部
９    映像加工部
１０    時刻表示位置保存部
１１    時刻表示位置記憶部
１２    出力部
１３    時刻表示位置抽出部
【図１】
0005175432.tif 000002
【図２】
0005175432.tif 000003
【図３】
0005175432.tif 000004
【図４】
0005175432.tif 000005